(57)【要約】【課題】設置スペースの無駄をなくし、故障率を低くすることのできる電子機器を提供すること。【解決手段】内部の記憶装置に外部機器からのデータを蓄積する電子機器であって、当該電子機器は、制御部などの本体部品２０を内部に格納する密閉された筐体１０と、筐体１０の外側に設けられた放熱フィン１１とを備え、筐体のある一の面には、外部機器と接続する接続部１４と、電源と接続する電源接続部１２と、リモコン１００などの遠隔操作機器からの操作信号を受信する受信部１３を備える。【選択図】図１
2011077427.tif 000002
【特許請求の範囲】
【請求項１】
外部装置から入力されたデータを記憶装置に記憶可能な電子機器であって、
内部に当該電子機器を制御する制御部を格納し、密閉された筐体と、
前記筐体の外側に設けられた放熱フィンと、
前記筐体の一の面に設けられ、外部機器との接続ケーブル又は電源ケーブルが接続される複数の接続部と、
前記筐体の前記一の面に設けられ、遠隔操作機器からの操作信号を受信する受信部と、
を備える電子機器。
【請求項２】
請求項１に記載の電子機器であって、
前記放熱フィンは、前記筐体の外側における一部分であって、前記記憶装置が設けられる位置に対応する位置に配置される電子機器。
【請求項３】
請求項１又は２に記載の電子機器であって、
前記一の面は、前記筐体の上面側であり、
前記筐体は、上面側に前記放熱フィンが配置される凹部を有し、
前記放熱フィンの上面と前記筐体の上面とは、同一面を形成する電子機器。
【発明の詳細な説明】
【技術分野】
【０００１】
本発明は、電子機器に関する。特に設置に必要なスペースを小さくすることができる電子機器に関する。
【背景技術】
【０００２】
近年、セキュリティ意識の高まりから防犯カメラで常時撮影し、何らかの異常事態が生じた場合にその撮影した画像を参照し、犯人の特定などに使用されることが多くなっている。
【０００３】
防犯カメラのシステムは、画像を撮影するカメラと、カメラで撮影した画像を記憶したり、カメラを制御したりするＤＶＲ（Ｄｉｇｉｔａｌ  Ｖｉｄｅｏ  Ｒｅｃｏｒｄｅｒ）とで少なくとも構成される。
【０００４】
ＤＶＲには本体全体の処理を制御する制御装置としてのＣＰＵ（Ｃｅｎｔｒａｌ  Ｐｒｏｃｅｓｓｉｎｇ  Ｕｎｉｔ）と、撮影された画像等が記憶される記憶媒体が不可欠である。記憶媒体としては、頻繁にメディアを交換する必要のない大容量ハードディスクが好まれて使用される。ＤＶＲは通常、常時稼働しているため、ＣＰＵやハードディスクは非常に高温を発する。すると、その熱でＣＰＵが熱暴走したり、他の部品も故障させたりする場合がある。そこで、いかに効率よく冷却するかが重視される。
【０００５】
従来は、各部品の近くにフィンなどを設けて表面積を大きくし、かつ筐体の外壁部分に数カ所のスリットを設けて外気を取り入れ、筐体内に設置したファンにより空気の流れを筐体内につくり、筐体内に放熱された熱により熱せされた空気をスリットから排気するようにしていた。この場合、外気を十分に筐体内に取り入れ、かつ一度排気した熱を帯びた空気が再度入ることを防止するために筐体の側面や背面側には十分な空間が必要であった。
【０００６】
さらには、ＤＶＲは電源ケーブルや、カメラやその他の外部機器の接続ケーブルを接続する必要がある。ケーブル類は通常、筐体側面や背面又は前面などに設けられたコネクタに接続されるため、接続されたケーブル類は筐体から突出するような状態になる。このため、ケーブルを接続するためのスペースも確保する必要がある。
このため、ＤＶＲを設置するには、ＤＶＲ本体の底面の大きさよりも広いスペースを必要とするものであった。
【０００７】
一方で、防犯カメラシステムを設置することは、防犯カメラシステムが使用されるようになった初期のころに比べれば、セキュリティ意識の高まりと共に家庭や個人商店、建設現場、駐車場など、より身近なところで使用されるようになっている。このような場合、例えば小規模な建設現場やコンビニ、個人宅などでは防犯カメラシステム専用の部屋を設けることは現実的ではなく、控え室やリビングなどにＰＣ（Ｐｅｒｓｏｎａｌ  Ｃｏｍｐｕｔｅｒ）やその他の機器などと一緒に設置される。このため、最初は大がかりで専用部屋などを用意していた頃に比べると、より過酷な環境で使用されることも多い。例えば、雨漏りの危険性があったり、近くで水を使用する環境だったり、虫や埃が多く発生しやすい場所である場合もある。
このような場合、従来のようなＤＶＲでは、排気のために多くの隙間やスリットが設けられているため、内部に虫や水、埃などが侵入してしまい故障する原因ともなる。またスリットを小さくして虫や埃などが入りにくいようにすることも考えられるが、ファンは常に稼働する状態であるため、異常が発生しやすく、故障率が高くなるという問題がある。
【先行技術文献】
【特許文献】
【０００８】
【特許文献１】特開２００２−２５８９８７号公報
【発明の概要】
【発明が解決しようとする課題】
【０００９】
特許文献１に記載の電子機器は、筐体が二重構造になっており、内側のケースと外側のケースとの間に隙間を設け、内側のケースに冷却用ファンを設置して装置内部の空気を循環させて冷却をするようにしている。しかし、内側のケースと外側のケースとの間に空気を循環させるに足る隙間を設ける必要があるので、その装置自体が大型化することになり、また、外側のケースから突出するようにフィンが設けられているため、本体の大きさ以外に余分なスペースが必要であることにはかわりがない。また、背面側に電源ケーブルが接続されると共に前面側を開放してカートリッジを取り外す必要があるため、筐体の前面側と背面側の両方に余分なスペースが必要である。
【００１０】
そこで、本発明は、設置スペースの無駄をなくし、故障率を低くすることのできる電子機器を提供することを目的とする。
【課題を解決するための手段】
【００１１】
（１）外部装置から入力されたデータを記憶装置に記憶可能な電子機器であって、内部に当該電子機器を制御する制御部を格納し、密閉された筐体と、前記筐体の外側に設けられた放熱フィンと、前記筐体の一の面に設けられ、外部機器との接続ケーブル又は電源ケーブルが接続される複数の接続部と、前記筐体の前記一の面に設けられ、遠隔操作機器からの操作信号を受信する受信部と、を備える電子機器。
【００１２】
（１）に記載の発明は、制御部を内部に格納する密閉された筐体の外側にフィンが設けられ、筐体のある一の面に外部機器や電源と接続する接続部と、遠隔操作機器からの操作信号を受信する受信部を備える電子機器に関する。筐体の外側に放熱フィンが設けられているため、内部に格納されている制御部から発した熱は、筐体に移動しさらに放熱フィンにより放熱することができる。また、筐体が密閉されているので外部から埃や虫などの異物が入ることを防止することができる。さらには、外部機器や電源との接続ケーブルが筐体のある面にのみ設けられているので、その面にのみケーブルを接続するためのスペースを設ければよく、他の面は壁などに密着させることができるため、省スペース化を図れる。さらには、同じ面に遠隔操作機器からの操作信号を受信する受信部を設けたので、電子機器を操作するためのボタン類は不要となる。このように、電子装置を制御する手段を限定したことで、遠隔操作機器を十分に管理すれば、当該電子機器を勝手に操作されることが無く、セキュリティ面の向上を図ることができる。
【００１３】
（２）（１）に記載の電子機器であって、前記放熱フィンは、前記筐体の外側における一部分であって、前記記憶装置が設けられる位置に対応する位置に配置される電子機器。
【００１４】
（２）に記載の発明は、（１）に記載の発明に加えて、放熱フィンは、筐体の外側における一部分であって、記憶装置がある位置に対応する位置に配置される。稼働中に高温を発する主な部分としては記憶装置を挙げることができ、放熱フィンが記憶装置の近くに配置されることにより、記憶装置から発する熱を効率的に放熱フィンまで移動させ、放熱させることができる。
【００１５】
（３）（１）又は（２）に記載の電子機器であって、前記一の面は、前記筐体の上面側であり、前記筐体は、上面側に前記放熱フィンが配置される凹部を有し、前記放熱フィンの上面と前記筐体の上面とは、同一面を形成する電子機器。
【００１６】
（３）に記載の発明は、（１）又は（２）に記載の発明に加えて、筐体は、上面側に放熱フィンが配置される凹部を有する。そして、放熱フィンの上面と筐体の上面とが同一面を形成するようになされているので、放熱フィンが筐体から突出した状態とならない。このため、当該電子機器を配置するスペースとしては、電子機器自体の大きさを用意すればよいので、省スペース化をはかることができる。
【発明の効果】
【００１７】
本発明によれば、設置スペースの無駄をなくし、故障率を低くすることのできる電子機器を提供することができる。
【図面の簡単な説明】
【００１８】
【図１】本発明の実施形態に係る電子機器の一例である録画装置の前面を上方側から見た斜視図である。
【図２】本発明の実施形態に係る録画装置の背面を下方側から見た斜視図である。
【図３】本発明の実施形態に係る録画装置の外観斜視図である。
【図４】本発明の実施形態に係る録画装置の設置例を示す図である。
【図５】本発明の実施形態に係る録画装置の設置例を示す図である。
【発明を実施するための形態】
【００１９】
以下、本発明の実施形態について図面を参照して説明する。
図１から図３を参照して、本発明の実施形態に係る電子機器の一例である録画装置１について説明する。図１は、本発明の実施形態に係る電子機器の一例である録画装置１の前面を上方側から見た斜視図である。図２は、録画装置１の背面を下方側から見た斜視図である。図３は、録画装置１の外観斜視図である。
【００２０】
録画装置１は、密閉された筐体１０と、筐体１０の外側に配置された放熱フィン１１とを有する。また、録画装置１の前面側には、電源ケーブルを接続する電源接続部１２、遠隔操作機器の一つであるリモコンからの操作信号を受信する受信部１３、カメラなどの外部装置との各種接続ケーブルを接続する接続部１４、及び電源ボタン１５が配置されている。
【００２１】
録画装置１は、本実施形態では複数のカメラ（図示せず）が接続され、長期間に亘って複数のカメラが撮影した画像を蓄積するデジタルビデオレコーダーである。この録画装置１の筐体１０は、略矩形箱型に形成されており、スリットなどは設けられておらず、内部を密閉した状態となっている。この筐体１０は、例えばマグネシウム合金などの熱伝導性の高い金属で形成されることが好ましい。これらの筐体１０を形成する部材は、全て同じ金属とは限らず、一部分のみ他の金属で形成するようにしてもよい。例えば、後述の放熱フィン１１が配置される部分のみをマグネシウム合金で形成するようにしてもよい。
また、筐体１０の上面側には、放熱フィン１１が配置される凹部１０１が形成される。
【００２２】
放熱フィン１１は、録画装置１の上面側に形成された凹部１０１に配置される。放熱フィン１１の高さは、凹部１０１の高さと略同一となるように形成される。これにより、放熱フィン１１は筐体１０から突出することが無く、放熱フィン１１の上面側が筐体１０の上面に連続して同一面を形成するようになる。この放熱フィン１１は、いわゆる放熱グリスや放熱用の接着剤により筐体１０に接着されることが好ましい。
この放熱フィン１１により、筐体１０内部に格納される機器から発生する熱が筐体１０から放熱フィン１１に伝導され、放熱フィン１１が外気により冷却されることにより筐体１０内部の熱が放熱される。放熱フィン１１は、アルミや銅などの熱伝導性の高い部材で形成されることが好ましい。
【００２３】
録画装置１の前面側には、カメラなどの外部装置を接続するための接続部１４を中心に、電源接続部１２やリモコンの受信部１３、電源ボタン１５が集中して配置される。そして、図２に示すように、筐体１０の背面側や、側面などの他の面には、ケーブル類などを接続するための接続部などは配置されない。また、放熱フィン１１も筐体１０の背面側や側面の方向へは突出しない。
【００２４】
受信部１３は、リモコン１００（図４参照）などの遠隔操作装置から送信される操作信号を受信する。例えば、無線の電波や赤外線の受光部又は受信部である。本実施形態では録画装置１には、電源ボタン１５以外のボタンを備えず、録画装置１に対する各種操作は、リモコン１００を通じて行われる。具体的には、操作用の画面がディスプレイなどに表示され、使用者は表示を参照しながらリモコンにより各種設定などを行う。
【００２５】
接続部１４は、カメラなどを接続するための入力端子や、ディスプレイなどに画像を出力する出力端子などが複数設けられている。複数設けられている入力端子や出力端子のうち、カメラやディスプレイなどの接続ケーブルが接続されていない端子には、端子口をキャップなどで塞ぐようにすることが好ましい。使用されていない端子部分に埃や水分が入ることを防止するためである。
【００２６】
図３に示すように、録画装置１の内部には、本体部品２０が格納されている。本体部品は、録画装置１を制御する制御部となるＣＰＵやメモリを実装したメインボード、電源ユニット及び記憶装置としてのハードディスク２１から構成される。これらの本体部品２０、特にＣＰＵやメモリ、及びハードディスク２１は、低電圧で稼働するものを使用することが好ましい。発熱量を低減させるためである。
【００２７】
また、放熱フィン１１は、筐体１０の内部において、ハードディスク２１が配置される位置に対応する位置に配置されることが好ましい。ハードディスク２１からの発熱量が高いため、効率的に熱を放熱フィン１１まで伝導させてより早く放熱させるためである。
【００２８】
図４及び図５を参照して、録画装置１の設置態様について説明する。図４及び図５は、録画装置１の設置例を示す図である。
【００２９】
図４は、録画装置１を何らかの棚、又は箱内に設置した場合の設置例である。録画装置１は、その背面や側面を棚や箱の内壁に当接した状態で配置することができる。本実施形態では、放熱フィン１１が筐体１０の上面側に設けられているため、放熱する効率を高くするために放熱フィン１１が配置されている部分では上面側にスペースを設けることが好ましい。
【００３０】
図５は、録画装置１を立てた状態にして設置した場合の設置例である。この場合も、録画装置１の上面側の放熱フィン１１の部分と前面側を開放した状態であれば、背面や底面を壁などに接した状態で設置することができる。
このように、設置場所については従来よりも柔軟に対応することができる。
【００３１】
本実施形態では、録画装置１を設置するためのスペースに柔軟性を持たせることができる。これは、前面側にのみ接続部１４や受信部１３などが配置され、放熱フィン１１も筐体１０から突出した状態では無く、筐体１０の側面や背面は平面状となっているためである。また、内部に外気を取り入れるためのスリット等も形成されてないため、側面や背面に外気を排気するためのスペースを設ける必要がない。このため、接続部１４等が配置される録画装置１の前面側と放熱フィン１１が配置される上面側に所定の空間が確保されていれば、他のスペースは不要となり設置に必要なスペースを小さくすることができる。
【００３２】
また、本実施形態では、カメラやディスプレイなどの外部機器や電源との接続は、全て録画装置１の前面にある接続部１４及び電源接続部１２から行われる。また、受信部１３も録画装置１の前面側に配置されている。このため、録画装置１の前面側が開放されている状態であれば、外部機器からの接続やリモコン１００による操作も可能である。また、設置するための作業も録画装置１の前面からのみでいいので、設置場所を決めてしまえば、設置も簡単にすませることができ、メンテナンス性も向上させることができる。
【００３３】
また、本実施形態では、筐体１０には、外気をとりいれるためのスリットが無く、録画装置１を操作するためのボタン類も設けられていない。このため、筐体１０の内部に埃や虫が入ることが無く、また、多少の水などがかかってしまった場合でも、その水分が内部に侵入することも抑止することができる。さらには、接続部１４における使用されていない端子にキャップなどをすることにより、より高い防水性及び防塵性も期待することができる。
【００３４】
また、本実施形態では、録画装置１を操作するためのボタン類を備えず、リモコン１００からの操作信号を受信部１３により受信することにより、録画装置１の操作や設定などを行う。このため、リモコン１００を管理することにより、録画装置１の操作などが管理者以外の者にされてしまうことを防止することができる。このように、管理対象を限定することで、録画装置１自体のセキュリティを向上させることができる。
【００３５】
また、本実施形態では、筐体１０の外部に放熱フィン１１を備えて、本体部品２０やハードディスク２１から発熱された熱を筐体１０に伝導させ、筐体１０からさらに放熱フィン１１にその熱を伝導させて放熱させる。このため、いわゆるファンを備えない。これにより、外気を取り入れるスリットを設ける必要が無い。ファンが故障した場合、その時点で本体部品２０やハードディスク２１が正常であっても、冷却が順調に行われないため、熱による暴走などが生じ、録画装置１の故障につながる場合がある。しかし、本実施形態ではファンという稼働部品がないため、上記のような理由による録画装置１の故障率も低下させることができる。また、スリットなどの外気取り入れ口が不要なため、筐体１０内部を密閉することができる。録画装置１は、本体部品２０やハードディスク２１が発する熱のため、虫などが入り込みやすい。しかし本実施形態では、筐体１０内部を密閉した状態とすることができるため、これらの虫が筐体１０内部に入り込んでショートさせるようなことも防止することができる。
【００３６】
また、本実施形態によれば、密閉された筐体１０を備える。これにより、埃、虫及び水などの外部環境による影響により故障する確率を低減させることができる。防犯などのセキュリティ目的で使用される録画装置は、長期間安定して故障無く稼働することが最も高く要求される事項である。この点、外部環境による影響を低くすることで故障率の低い、安定稼働を見込むことができる録画装置１を提供することができる。
【００３７】
本実施形態では、放熱フィン１１は筐体１０の上面側に形成された凹部１０１に配置されるとしたが、これに限らない。例えば、筐体１０の側面や底面など、録画装置１の設置場所に合わせた位置に凹部１０１を設け、その位置に放熱フィン１１を配置するようにしてもよい。例えば、図４のように録画装置１を立てた状態で設置する場合、側面に凹部１０１を設けて放熱フィン１１を配置するようにしてもよい。また、このような場合には、凹部１０１を形成せずとも、放熱フィン１１を側面に接着するなどして設けてもよい。
【００３８】
本実施形態では、録画装置１の前面側に電源接続部１２、受信部１３、接続部１４及び電源ボタン１５を設けるとしたがこれに限らず、録画装置１のある一面にこれらの接続部等が集中して設けられていれば、側面や上面側でこれらを設けるようにしてもよい。
【００３９】
本実施形態では、本体部品２０とハードディスク２１が発熱した熱は、筐体１０と接している部分を中心に筐体１０に伝導されるとしたが、これに限らない。例えば、伝導性の部材で形成されたリボンなどで本体部品２０やハードディスク２１と筐体１０とを接続して、当該リボンから熱が伝導されるようにしてもよい。これにより、放熱させる効率を高めることができる。また、このリボンの接続先を放熱フィン１１が配置された凹部１０１部分の筐体１０に接続することでより効率的に熱を伝導させ、放熱させる効率を高めることができる。
【符号の説明】
【００４０】
１  録画装置
１０  筐体
１１  放熱フィン
１２  電源接続部
１３  受信部
１４  接続部
１５  電源ボタン
１０１  凹部
【図１】
2011077427.tif 000003
【図２】
2011077427.tif 000004
【図３】
2011077427.tif 000005
【図４】
2011077427.tif 000006
【図５】
2011077427.tif 000007